(57)【特許請求の範囲】
【請求項１】
対向する二面に吸込口と吹出口を有する内部が空洞に構成された本体箱体内に、吐出口を前記吹出口に臨ませて遠心式の送風機を組込み、前記吸込口から前記吹出口に向う空気流を形成するようにした送風装置であって、その送風機の羽根車を収めた送風機ケーシングの前記吸込口側に臨む壁面に消音材を装着する。この消音材の端面までの長さを前記送風機ケーシングの前記吸込口側の側壁長さに対して０．７５〜０．９に設定した送風装置。
【請求項２】
対向する二面に吸込口と吹出口を有する内部が空洞に構成された本体箱体内に、吐出口を前記吹出口に臨ませて遠心式の送風機を組込み、前記吸込口から前記吹出口に向う空気流を形成するようにした送風装置であって、その送風機の羽根車を収めた送風機ケーシングの前記吸込口側に臨む壁面に消音材を装着するとともに、この消音材の端面を、前記送風機ケーシングの前記吸込口側に臨む壁面と当該送風機ケーシングの吸込開口部が開口した壁面とが作る角部と、この角部側の前記吸込口の口縁の端縁とを結ぶ直線上にその直線に倣って形成した送風装置。
【請求項３】
請求項１に記載の送風装置であって、消音材を本体箱体の吸込口側に重ね合わせた積層構造にした送風装置。
【発明の詳細な説明】
【０００１】
【発明の属する技術分野】
本発明は、本体箱体内に遠心式の送風機を組込んだ送風装置に関するものである。
【０００２】
【従来の技術】
上記この種の送風装置は、ビルや店舗の換気や空調に供されるものであり、従来においては例えば、実公平６―４８１５９号公報に示されているような構成が採られている。即ち、六面体の箱体に構成された本体箱体の対向する側面にダクト接続の可能な吸込口と、吹出口が設けられ、本体箱体内には吸込口の中心線に対して直交する方向に吸込開口部の開口した送風機ケーシングが設けられている。送風機ケーシング内にはモーターにより回転する遠心式の羽根車が収められている。本体箱体の吸込口の内側には、送風機ケーシングの吸込開口部に向ってガイドベーンが斜め立上げ状に設けられている。
【０００３】
この送風装置では、ガイドベーンにより吸込口から送風機の吸込開口部に空気流が円滑に流れ、送風性能の向上と羽根車の回転に伴う騒音を低減できるものの、ガイドベーン端は自由端となっているため、振動しやすくあまり有効ではない。そこで図１３に示すように送風機ケーシング３０の吸込開口部３１を持つ面とガイド部３２とを一体に構成し、ガイド部３２の端を本体箱体３３の吸込口３４側の入偶部に装着したものが開発されている。この送風装置では、上記したガイド部３２の他に、本体箱体３３内の他の入隅部を斜めに囲むガイド板３５と、吸込開口部３１に空気流を案内するガイド板３６とが設けられ、吸込口３４から吸込開口部３１までの間に一連の風路が構成されている。そして、羽根車３７の回転に伴う騒音は、ガイド部３２と送風機ケーシング３０と本体箱体３３とにより囲まれる空間の背面空気層により減衰され、送風（風量）性能も風路の構成により改善される。
【０００４】
【発明が解決しようとする課題】
上記のような従来の送風装置においては、ガイド部３２付きの吸込開口部３１を構成する部品の加工が、曲面形状や斜面構成を持つため面倒であり、組立もスポット溶接等を要し手間がかかるといった問題点がある。
【０００５】
本発明は上記した従来の問題点を解消するためになされたもので、その課題とするところは、低騒音で加工・組立の容易な風量性能の良い送風装置を開発することであり、加工・組立の容易な風量性能の良い送風装置を開発することであり、その送風装置のコストの低減を推進することである。
【０００６】
【課題を解決するための手段】
前記課題を達成するために請求項１の発明は、対向する二面に吸込口と吹出口を有する内部が空洞に構成された本体箱体内に、吐出口を吹出口に臨ませて遠心式の送風機を組込み、吸込口から吹出口に向う空気流を形成するようにした送風装置について、その送風機の羽根車を収めた送風機ケーシングの吸込口側に臨む壁面に消音材を装着するとともに、
この消音材の端面までの長さを送風機ケーシングの吸込口側の側壁長さに対して０．７５〜０．９に設定する手段を採用する。
【０００７】
前記課題を達成するために請求項２の発明は、対向する二面に吸込口と吹出口を有する内部が空洞に構成された本体箱体内に、吐出口を吹出口に臨ませて遠心式の送風機を組込み、吸込口から吹出口に向う空気流を形成するようにした送風装置について、その送風機の羽根車を収めた送風機ケーシングの吸込口側に臨む壁面に消音材を装着するとともに、この消音材の端面を、送風機ケーシングの吸込口側に臨む壁面と送風機ケーシングの吸込開口部が開口した壁面とが作る角部と、この角部側の吸込口の口縁の端縁とを結ぶ直線上にその直線に倣って形成する手段を採用する。
【０００８】
前記課題を達成するために請求項３の発明は、請求項１に係る前記手段における、消音材を本体箱体の吸込口側に重ね合わせた積層構造にする手段を採用する。
【００１５】
【発明の実施の形態】
次に本発明の実施の形態を図面に基づいて説明する。
実施の形態１．
図１〜図４によって示すこの実施の形態１は、ビルや店舗等の換気や空調に供される送風装置に関するものである。この送風装置は、図１に示すように内部が空洞の六面体の箱体に構成された本体箱体１を備えている。本体箱体１の対向する側面のほぼ中央にはダクト接続の可能な角形の吸込口２と、吹出口３とがそれぞれ設けられ、また、全体をアンカーボルト等（図示しない）により吊り固定するための吊金具４が二個ずつ取付けられている。本体箱体１内には図２に示すように吸込口２の中心線に対して直交する方向に吸込開口部５の開口した箱型の送風機ケーシング６を備えた遠心式の送風機が吹出口３側寄りに組込まれている。送風機ケーシング６は板金製で、その吸込開口部５はベルマウス状に形成され吸込口２の中心線の付近において下向きに開口している。送風機ケーシング６内にはスクロール（図示しな）が装着され、吸込開口部５に吸込部を対応させた羽根車７が組込まれている。羽根車７はモーター８の回転軸に装着され、回転することにより吸込開口部５から吹出口３に臨む吐出口９へ向う空気流を形成する。
【００１６】
送風機ケーシング６の吸込口２側に臨む壁面１０には、羽根車７の回転による騒音を低減するための５０ｍｍ程度の厚さの消音材１１がピンへの差し込みや接着剤により装着されている。消音材１１はガラスウール等の多孔質材よりなり、簡単に所望する大きさに切断して装着することができる。この消音材１１の端面１２は、図２，３に示すように送風機ケーシング６の壁面１０より後退した位置にある。即ち、送風機ケーシング６の吸込口２側に臨む壁面１０と送風機ケーシング６の吸込開口部５が開口した壁面１３とが作る角部１４と、この角部１４側の吸込口２の口縁の端縁１５とを結ぶ直線Ｒに近接した位置に消音材１１の端面１２が設定され、消音材１１の端面１２までの長さＬａと、送風機ケーシング６の吸込口２側の壁面１０の本体箱体１内への突出長さＬｋとの比Ｌａ／Ｌｋが、０．７５〜０．９となるようにされている。なお、消音材１１はこの他にも吸込口２から吸込開口部５に至る風路１６の内壁にも装着されている。
【００１７】
この送風装置の送風機を運転させると本体箱体１の吸込口２から吹出口３に向う空気流が形成される。吸込口２から吸込開口部５へ向う気流は、吸込口２から吸込開口部５へ概ね最短経路を採って流れる。従って、直線Ｒより送風機ケーシング６側の本体箱体１の空間部は、空気の流れに関与しない部分であり、この部分に例えばエアーガイド等の部材を設けても送風性能には殆ど寄与しない。本実施の形態の送風装置では、吸込口２の送風機ケーシング６の角部１４側の口縁から吸込まれた空気は、図３に示すように直線Ｒに沿って流れ、消音材１１の端面１２の角部１７をかすめ送風機ケーシング６の角部１４をかすめて吸込開口部５へ吸込まれていく。消音材１１をかすめる時に小さな渦がその端面１２側にでき、金属製の送風機ケーシング６の角部１４をかすめる時にも小さな渦ができるが、消音材１１を壁面１０一杯に設けた場合の吸込口２の口縁と消音材１１の角部１７を結ぶ直線より直線Ｒの方が角度が緩いため、渦は大きくならず風量性能が向上する。
【００１８】
そして、羽根車７の回転に伴う騒音も壁面１０の全面に消音材１１を設けた場合と殆ど変らない程度に低減させることができる。図４は本実施の形態の送風装置の特性曲線であり、縦軸にＬａ／Ｌｋを、横軸に送風装置の風量Ｑａを定格風量Ｑｎの比で示したＱａ／Ｑｎをとっている。図４からも分るようにＬａ／Ｌｋが０．８３くらいが最もＱａ／Ｑｎが大きくなる。即ち、この送風装置はエアーガイド等の加工・組立の面倒な部材なしに騒音の低減と風量性能の向上とを図ることができ、コストの低減も推進することができる。
【００１９】
実施の形態２．
図５によって示すこの実施の形態２は、実施の形態１で示した送風装置と同様な送風装置に関するものであり、消音材の構成以外は実施の形態１のものと同じである。従って、実施の形態１のものと同じ部分については、実施の形態１のものと同じ符号を用い、それらについての説明は省略する。
【００２２】
図５に示す本実施の形態の送風装置は、消音材１１の端面１２を直線Ｒに沿って斜めにカットして面取り１８した構成のものである。これにより消音材１１の角部１７での小さな渦もできなくなり、風量性能の向上を推進できる。また、消音材１１を本体箱体１の吸込口２側に重ね合わせた積層構造にしてもよく、こうした構成は実施の形態１のものにも適用することができる。これ以外の構成及び機能は実施の形態１のものと同じである。
【００２４】
参考例．
図６〜図１２によって示すこの参考例は、実施の形態１，２で示した送風装置と同様な送風装置に関するものであり、基本的な構成は実施の形態１のものと同じである。従って、実施の形態１のものと同じ部分については、実施の形態１のものと同じ符号を用い、それらについての説明は省略する。
【００２５】
この参考例は、図６〜１１に示すように実施の形態１，２で示したような消音材１１についての参考例である。図６に示す送風装置は、消音材１１を本体箱体１の吸込口２側に重ね合わせた積層構造にし、積層した消音材１１の各端面１２の位置を直線Ｒに対して近接した位置に設定したものである。この構成により消音材１１の厚みを厚くして消音効果を上げることができるとともに、発生する渦が二段階の小さな渦になり風量性能の向上を図ることもできる。図７は、消音材１１の端面１２を直線Ｒより僅かに後退させたものである。風速が遅い場合には必ずしも空気の流れは直線的ではないが、直線Ｒより消音材１１の端面１２が後退しているので、空気の周り込みがあってもこれに対処できるようになる。また、他の参考例は、図９に示すように消音材１１の端面１２の角部１７を直線Ｒ上に一致させたものである。この場合も実施の形態１のものとほぼ同様の機能を果たしうる。さらに、図８に示す送風装置は、消音材１１の端面１２を円弧状にカットして面取り１８した構成のものである。これにより消音材１１の角部１７での小さな渦もできなくなり、風量性能の向上を推進できる。また、図１０，１１に示すように消音材１１の外郭に対応した形状の部材を送風機ケーシング６の壁面１０に固定して突出構造１９を構成するか、送風機ケーシング６に一体に突出構造１９を形成するかしてもよい。実施の形態１，２により説明したとおり、消音機能は消音材１１によるところであるが、風量性能の向上はその送風機ケーシング６の壁面１０側の形状によるものである。従って、送風機ケーシング６の壁面１０の形状を消音材１１以外の部材により実施の形態１，２のように構成することにより、消音機能は捨象されるものの、風量性能に関しては改善することができる。別部材の装着により突出構造１９を構成したものでは、内部に空気層２０ができ羽根車７の騒音も軽減させることができる。一方、突出構造１９を一体に形成するものは、送風機ケーシング６をプラスチックの成形物で構成する場合に有効であり、軽量化やコストの低減に寄与することができる。
【００２６】
なお、上記各実施の形態について、本体箱体１の吸込口２の形状は、図１２に示すように丸形の場合もあるが、丸形の吸込口２の場合の吸込口２の口縁の端縁１５とは、図１２に示すように口縁の９０度程度の範囲とすればよく、消音材１１又は突出構造１９の端面１２の形態も図１２のように円弧状になる。
【００２７】
【発明の効果】
以上実施の形態での説明からも明らかなように、請求項１の発明によれば低騒音で加工・組立の容易な風量性能の良い送風装置が得られる。
【００２８】
請求項２の発明によれば、低騒音で加工・組立の容易な風量性能の良い送風装置が得られる。
【００２９】
請求項３の発明によれば、請求項１に係る前記効果とともに消音効果を一層向上させることができる。
【図面の簡単な説明】
【図１】  実施の形態１の送風装置を示す斜視図である。
【図２】  実施の形態１の送風装置を示す断面図である。
【図３】  実施の形態１の送風装置の消音材の機能を示す説明図である。
【図４】  実施の形態１の送風装置の特性曲線を示す説明図である。
【図５】  実施の形態２の送風装置の消音材の形態を示す説明図である。
【図６】  参考例の送風装置の消音材の形態を示す説明図である。
【図７】  参考例の送風装置の消音材の形態を示す説明図である。
【図８】  参考例の送風装置の消音材の形態を示す説明図である。
【図９】  参考例の送風装置の消音材の形態を示す説明図である。
【図１０】  参考例の送風装置の要部の断面図である。
【図１１】  参考例の送風装置の要部の断面図である。
【図１２】  参考例の送風装置の他の形態を示す側面図である。
【図１３】  従来の送風装置を示す断面図である。
【符号の説明】
１  本体箱体、  ２  吸込口、  ３  吹出口、  ５  吸込開口部、  ６  送風機ケーシング、  ７  羽根車、  ９  吐出口、  １０  壁面、  １１  消音材、  １２  端面、  １３  壁面、  １４  角部、  １５  端縁、  １８  面取り。
【図１】
0003873451.tif 000002
【図２】
0003873451.tif 000003
【図３】
0003873451.tif 000004
【図４】
0003873451.tif 000005
【図５】
0003873451.tif 000006
【図６】
0003873451.tif 000007
【図７】
0003873451.tif 000008
【図８】
0003873451.tif 000009
【図９】
0003873451.tif 000010
【図１０】
0003873451.tif 000011
【図１１】
0003873451.tif 000012
【図１２】
0003873451.tif 000013
【図１３】
0003873451.tif 000014